(57)【要約】【課題】犬や猫等のペットが排泄した尿等の排泄物を吸収するためのペット用シートにおいて、ペットの学習を期待する必要がなく且つペット用シートの薄さ及び排泄物の吸収性能を確保しつつ、ペットが表面シートを引き裂いて破くこと及びそれに起因する各種問題点を解決できるペット用シートを提供すること。【解決手段】表面シート２、裏面シート３及び両シート２，３間に介在する吸収体４を有するペット用シート１において、表面シート２の耐引き裂き性を部分的に補強する補強構造を備えている。【選択図】図２
2008136377.tif 000002
【特許請求の範囲】
【請求項１】
表面シート、裏面シート及び両シート間に介在する吸収体を有するペット用シートにおいて、
前記表面シートの耐引き裂き性を部分的に補強する補強構造を備えているペット用シート。
【請求項２】
前記補強構造は、前記表面シートと前記吸収体との間に網状シートが配されることにより形成されている請求項１記載のペット用シート。
【請求項３】
前記網状シートは前記表面シートに固定されている請求項２記載のペット用シート。
【請求項４】
前記補強構造は、前記表面シートにヒートシール加工が施されることにより形成されている請求項１記載のペット用シート。
【請求項５】
前記補強構造は、前記表面シートの下部に、所定のパターンで接着剤が塗工されることにより形成されている請求項１記載のペット用シート。
【発明の詳細な説明】
【技術分野】
【０００１】
本発明は、犬や猫等のペットが排泄した尿等の排泄物を吸収するためのペット用シートに関する。
【背景技術】
【０００２】
従来より、犬や猫等のペットを住居内で飼育する際に、ペットが排泄した尿等の排泄物を吸収するために、ペット用シートが使用されている（例えば、下記特許文献１参照）。特許文献１記載のペット用シートは、液透過性の表面シート、液不透過性の裏面シート及び両シート間に介在する液保持性の吸収体を備えており、このペット用シートによれば、厚さが薄く邪魔になりにくいと共に、それを床に載置して、吸収体の吸収性を主に利用してペットの排泄物を吸収することができる。
【０００３】
ところで、ペット用シートにおいては、ペットのいたずらやストレス等により、ペットが表面シートを引き裂いて破き、更には、吸収体を噛みちぎることもあり、場合によっては、吸収体を構成するパルプ繊維や吸収性ポリマーを食べてしまうという問題点がある。
特許文献１記載のペット用シートにおいては、吸収体に唐辛子等の刺激性の高い成分を含ませることにより、前記問題点を解決しようとしている。
【０００４】
【特許文献１】特開２００３−９２９４０号公報
【発明の開示】
【発明が解決しようとする課題】
【０００５】
しかし、特許文献１記載のペット用シートによれば、ペットが、吸収体に含まれた刺激性の高い成分について学習するまで、前記問題点を解消することができない。また、表面シートの耐引き裂き性を向上させれば、前記問題点を解決できるが、表面シートの耐引き裂き性を単純に向上させると、表面シートの厚みが厚くなり、また液透過性が大幅に低下するので、ペット用シートの薄さ及び排泄物の吸収性能を確保できない場合がある。
【０００６】
従って、本発明の目的は、犬や猫等のペットが排泄した尿等の排泄物を吸収するためのペット用シートにおいて、ペットの学習を期待する必要がなく且つペット用シートの薄さ及び排泄物の吸収性能を確保しつつ、ペットが表面シートを引き裂いて破くこと及びそれに起因する各種問題点を解決できるペット用シートを提供することにある。
【課題を解決するための手段】
【０００７】
本発明は、表面シート、裏面シート及び両シート間に介在する吸収体を有するペット用シートにおいて、前記表面シートの耐引き裂き性を部分的に補強する補強構造を備えているペット用シートを提供することにより前記目的を達成したものである。
【発明の効果】
【０００８】
本発明のペット用シートによれば、犬や猫等のペットが排泄した尿等の排泄物を吸収するためのペット用シート１において、ペットの学習を期待する必要がなく且つペット用シートの薄さ及び排泄物の吸収性能を確保しつつ、ペットが表面シートを引き裂いて破くこと及びそれに起因する各種問題点を解決することができる。
【発明を実施するための最良の形態】
【０００９】
以下、本発明のペット用シートを、その好ましい一実施形態である第１実施形態に基づき図面を参照しながら説明する。
本実施形態のペット用シートは、図１〜図４に示すように、表面シート２、裏面シート３及び両シート２，３間に介在する吸収体４を有するペット用シートにおいて、表面シート２の耐引き裂き性を部分的に補強する補強構造を備えている。
【００１０】
本実施形態のペット用シートについて更に説明する。本実施形態のペット用シート１は、図１に示すように、長方形の平面視形状を有しており、図２〜図４に示すように、液透過性の表面シート２、液不透過性又は撥水性の裏面シート３、及び両シート２，３間に介在配置された液保持性の吸収体４を備えている。
【００１１】
尚、本明細書において、「上面」とは、各部材の表裏面のうち、使用時にペット側に配される面である。また、「下面」とは上面の反対面である。また、特に明記のない限り、「長手方向」とは、ペット用シートの長手方向に沿う方向であり、「幅方向」とは、ペット用シートの幅方向に沿う方向である。
【００１２】
表面シート２、裏面シート３及び吸収体４は、何れも長方形の平面視形状を有している。表面シート２及び裏面シート３の長さ及び幅は、ペット用シート１全体の長さ及び幅と同じである。吸収体４の長さ及び幅は、表面シート２及び裏面シート３の長さ及び幅よりも、それぞれ短くなっている。
表面シート２は、吸収体４の上面全域を被覆しており、表面シート２の長手方向両端部は、吸収体４の長手方向両端部それぞれから長手方向に延出している。表面シート２の幅方向両端部は、吸収体４の幅方向両端部それぞれから幅方向に延出している。
【００１３】
裏面シート３は、吸収体４の下面全域を被覆しており、裏面シート３の長手方向両端部は、吸収体４の長手方向両端部それぞれから長手方向に延出している。裏面シート３の幅方向両端部は、吸収体４の幅方向両端部それぞれから幅方向に延出している。
表面シート２と裏面シート３とは、吸収体４よりも延出した領域において、接合されている。その接合には、例えば、ホットメルト型接着剤、ヒートシール、超音波シールが用いられる。
【００１４】
本発明は、表面シート２の耐引き裂き性（引き裂き強度）を部分的に補強する補強構造を備えている点を特徴としている。本実施形態においては、表面シート２自体については、ペット用シートにおいて従来から用いられている各種材料、例えば、液透過性を有する不織布や開孔フィルムを用いている。好ましい不織布は、スパンボンド不織布である。
而して、本実施形態においては、前記補強構造は、表面シート２と吸収体４との間に網状シート５が配されることにより形成されている。
【００１５】
網状シート５は、好ましくは、図５に示すように、格子ネット状のシートであるが、これに制限されるものではなく、孔を多数有する網状ウエブや有孔フィルム（何れも図示せず）を含む広い概念である。網状シート５における孔の形状としては、例えば、矩形、菱形、円形、楕円形、その他の多角形が挙げられる。
【００１６】
格子ネット状の網状シート５においては、その線径は、好ましくは０．２〜５ｍｍ、更に好ましくは０．５〜２ｍｍであり、その線間距離は、好ましくは１〜３０ｍｍ、更に好ましくは２〜１０ｍｍである。
網状ウエブ又は有孔フィルムからなる網状シートにおいては、開孔幅は、好ましくは１〜２０ｍｍ、更に好ましくは２〜１０ｍｍであり、開孔間の非開孔部分の幅は、０．２〜２０ｍｍ、更に好ましくは０．４〜２ｍｍである。
【００１７】
網状シート５は、表面シート２に固定されていることが好ましい。その固定には、ホットメルト型接着剤、ヒートシール、超音波シール等の接合手段が用いられる。また、表面シート２が不織布からなる場合には、網状シート５は、表面シート２に、交絡により固定されていてもよく、交絡と前記接合手段との併用により固定されていてもよい。
【００１８】
裏面シート３及び吸収体４としては、それぞれ、ペット用シートにおいて従来から用いられている各種材料を特に制限なく用いることができる。裏面シート３としては、例えば、液不透過性又は撥水性のフィルム等を用いることができる。
【００１９】
吸収体４としては、例えば、パルプ繊維等の繊維集合体を主体とする吸収性コアを被覆シートで被覆したものを用いることができる。吸収性コアは吸収性ポリマーを含んでいてもよい。
本実施形態における吸収体４は、図３及び図４に示すように、パルプ繊維等の繊維集合体を主体とし、吸収性ポリマーを含んだ吸収性コア４１と、吸収性コア４１の上面を被覆する上面被覆シート４２と、吸収性コア４１の下面を被覆する下面被覆シート４３とをからなる。
【００２０】
吸収性コア４１は、長方形の平面視形状を有している。上面被覆シート４２は、長方形の平面視形状を有しており、その長さ及び幅は、吸収性コア４１の長さ及び幅とほぼ同じである。下面被覆シート４３は、長方形の平面視形状を有しており、その長さは、吸収性コア４１の長さとほぼ同じであるが、その幅は、吸収性コア４１の幅よりも長くなっている。
【００２１】
吸収性コア４１は、下面被覆シート４３の上面に、吸収性コア４１の長手方向両端部を下面被覆シート４３の長手方向両端部とほぼ一致させ、且つ吸収性コア４１の幅方向両端部を、下面被覆シート４３の幅方向両端部よりもそれぞれ幅方向内方に後退させた状態で配設されている。そして、吸収性コア４１の幅方向両端部それぞれから幅方向に延出した下面被覆シート４３は、上面被覆シート４２と吸収性コア４１との積層体の上面側に折り返され、上面被覆シート４２の上面に接合されている。
【００２２】
ペット用シート１（表面シート２，裏面シート３）の大きさは、ペット等の大きさに合わせて適宜設定されるが、その長さは、例えば３８〜４８ｃｍであり、その幅は、例えば３０〜４０ｃｍである。吸収体４の大きさは、その長さは、例えば３４〜４４ｃｍであり、吸収体４の幅は、例えば２６〜３６ｃｍである。
【００２３】
表面シート２と吸収体４との間、及び吸収体４と裏面シート３との間は、ホットメルト型接着剤で接合されている。表面シート２と吸収体４との間のホットメルト型接着剤は、面状に（連続的に）塗工されていてもよいが、ペット用シート１の上面側の液透過性を確保する観点から、スパイラル状、格子状、ストライプ状、散点状等の非連続的に塗工されていることが好ましい。
【００２４】
以上の構成を備えた第１実施形態のペット用シート１においては、表面シート２と吸収体４との間に網状シート５が配されることにより、表面シート２の耐引き裂き性を部分的に補強する補強構造が形成されている。そのため、ペットが表面シート２を引き裂こうとしても、爪等が網状シート５に引っ掛かるため、表面シート２が引き裂かれにくい。その結果、吸収体４を噛みちぎったり、吸収体４を構成するパルプ繊維や吸収性ポリマーを食べてしまうことも防止できる。
【００２５】
また、表面シート２が部分的に引き裂かれたとしても、吸収体４の上面側には網状シート５が配されているため、吸収体４が噛みちぎられたり、食べられる虞が少ない。更に、吸収体４が噛みちぎられたとしても、噛みちぎられた吸収体４は、その大きさによっては、網状シート５によって遮断されて脱落しない。
本実施形態においては、網状シート５が表面シート２に固定されているため、表面シート２が特に引き裂かれにくくなっている。
【００２６】
次に、本発明のペット用シートの他の実施形態について説明する。他の実施形態については、上述した第１実施形態と異なる点を主として説明し、同様の点は同一の符号を付して説明を省略する。特に説明しない点は、第１実施形態についての説明が適宜適用される。他の実施形態においても、第１実施形態と同様の効果が奏される。
【００２７】
第２実施形態のペット用シート（図示せず）は、表面シート２の耐引き裂き性を部分的に補強する補強構造が、表面シート２にヒートシール加工が施されることにより形成されている。ヒートシール加工としては、例えば、表面シート２に厚肉部及び薄肉部を形成する加工が挙げられる。つまり、第２実施形態は、ヒートシールにて加圧される薄肉部の繊維を接着して繊維ズレを防止し、表面シート２の耐引き裂き性を部分的に補強する形態である。
薄肉部は、厚肉部に対して、表面シート２の上面側のみに凹になっていてもよく、下面側のみに凹になっていてもよく、上下面両側に凹になっていてもよい。
【００２８】
薄肉部の形状は、例えば、矩形枠状、菱形枠状、円形枠状、楕円形枠状、その他の多角形の枠状が挙げられる。枠状の薄肉部においては、その線幅は、好ましくは１〜８ｍｍ、更に好ましくは２〜４ｍｍであり、その線間距離は、好ましくは１〜２０ｍｍ、更に好ましくは２〜１０ｍｍである。
第２実施形態における補強構造のより具体的な加工方法としては、（１）ヒートシール加工を施した表面シート２を、吸収体４に積層した後に接合する方法、（２）表面シート２を吸収体４に積層した後に、表面シート２にヒートシール加工する方法等が挙げられる。
また、第２実施形態においては、前記厚肉部は、吸収体に接着する通液部となっていることが好ましい。
【００２９】
第３実施形態のペット用シート（図示せず）は、表面シート２の耐引き裂き性を部分的に補強する補強構造が、表面シート２の下部に、所定のパターンで接着剤が塗工されることにより形成されている。つまり、第３実施形態は、硬化した接着剤の強度を利用して、表面シート２の耐引き裂き性を部分的に補強する形態である。この接着剤は、表面シート２の下部に直接塗工されていることが好ましいが、例えば、上面に接着剤が塗工された吸収体４を表面シート２に接着することで、表面シート２の下部に接着剤が塗工されて状態を形成しても良い。
【００３０】
第３実施形態における補強構造のより具体的な加工方法としては、（１）接着剤を、表面シート２の下部に塗工し又は吸収体４の上面に塗工し、硬化させた後に、表面シート２を吸収体４に積層・接合する方法、（２）接着剤を表面シート２の下部に塗工し又は吸収体４の上面に塗工し、表面シート２を吸収体４に積層した後に、接着剤を接合・硬化させる方法等が挙げられる。
この接着剤としては、例えばホットメルト型接着剤が用いられる。所定のパターンとしては、例えば、スパイラル状、格子状、ストライプ状、散点状の非連続的パターンが挙げられる。格子状、ストライプ状の接着剤においては、その線幅は、好ましくは１〜８ｍｍ、更に好ましくは２〜４ｍｍであり、その線間距離は、好ましくは１〜２０ｍｍ、更に好ましくは２〜１０ｍｍである。
【００３１】
以上、本発明をその好ましい実施形態に基づき説明したが、本発明は前記実施形態に制限されるものではない。
【図面の簡単な説明】
【００３２】
【図１】図１は、本発明のペット用シートの第１実施形態を示す斜視図である。
【図２】図２は、第１実施形態のペット用シートについて、その構成要素を分離して示す分解斜視図である。
【図３】図３は、図１に示すIII−III線断面図である。
【図４】図４は、図１に示すIV−IV線断面図である。
【図５】図５は、網状シートを示す平面図である。
【符号の説明】
【００３３】
１  ペット用シート
２  表面シート
３  裏面シート
４  吸収体
５  網状シート
【図１】
2008136377.tif 000003
【図２】
2008136377.tif 000004
【図３】
2008136377.tif 000005
【図４】
2008136377.tif 000006
【図５】
2008136377.tif 000007